(57)【特許請求の範囲】
【請求項１】
一方の針床で編成される一側編地部と他方の針床で編成される他側編地部とが筒状に繋がる筒状編地をプレーティング編成によって編成し、前記一側編地部の編成と前記他側編地部の編成とが切り替わるときにプレーティング編成の主糸と添糸が交差する交差側の端部編目を捻り目とする筒状編地の編成方法において、
編幅方向の一端側を第一方向側、他端側を第二方向側としたとき、前記一側編地部の前記第一方向側の端部にある第一編目を前記他側編地部の前記第一方向側の端部にある第三編目よりも前記第一方向側に配置すると共に、前記他側編地部の前記第二方向側の端部にある第二編目を前記一側編地部の前記第二方向側の端部にある第四編目よりも前記第二方向側に配置した後、
前記筒状編地のウエール方向のコース数を増す際に、ウエール方向に並ぶ前記第三編目からなる一端側ウエール列を表目と裏目とが交互に並ぶウエール列とし、ウエール方向に並ぶ前記第四編目からなる他端側ウエール列を表目と裏目とが交互に並ぶウエール列とすると共に、前記第一編目と前記第二編目のうち、前記交差側にある編目を捻り目とする筒状編地の編成方法。
【請求項２】
ｎを２以上の自然数としたとき、
前記一端側ウエール列のウエール方向のｎ＋１番目の前記第三編目を編成する前に、ｎ番目の前記第三編目を編成した針床に対向する針床の空針にｎ番目の前記第三編目を移動させ、前記他端側ウエール列のウエール方向のｎ＋１番目の前記第四編目を編成する前に、ｎ番目の前記第四編目を編成した針床に対向する針床の空針にｎ番目の前記第四編目を移動させ、
ｎ番目の前記第三編目の移動は、前記主糸と前記添糸を給糸するキャリアが前記第二方向側に移動する編成の後に行い、ｎ番目の前記第四編目の移動は、前記キャリアが前記第一方向側に移動する編成の後に行なう請求項１に記載の筒状編地の編成方法。
【発明の詳細な説明】
【技術分野】
【０００１】
本発明は、一側編地部と他側編地部とが筒状に繋がった筒状編地をプレーティング編成によって編成する筒状編地の編成方法に関する。
【背景技術】
【０００２】
少なくとも前後一対の針床を有する横編機を用いてプレーティング編成を行う場合がある。プレーティング編成は、横編機の編針に主糸と添糸を給糸し、主糸と添糸とが、筒状編地の表側と裏側に位置するように筒状編地を編成する編成方法である。これら主糸と添糸には通常、性質の異なる編糸、例えば、色や弾性が異なる編糸を使用する。
【０００３】
上記プレーティング編成を行うには、主として２つの方法が挙げられる。１つ目の方法は、横編機のキャリッジに２つのキャリアを連行させ、先行する一方のキャリアから主糸を給糸させ、後行する他方のキャリアから添糸を給糸させる方法である（例えば、特許文献１参照）。２つ目の方法は、２つの給糸口を備える１つのキャリア（プレーティングキャリア）を横編機のキャリッジに連行させ、その１つのキャリアから主糸と添糸を給糸させる方法である（例えば、特許文献２参照）。ここで、２つの給糸口を備えるプレーティングキャリアには、さらに回転式（特許文献２の第１５図参照）と非回転式（特許文献２の１４図参照）の２つがある。
【０００４】
一方の針床で編成される一側編地部と他方の針床で編成される他側編地部とが筒状に繋がる筒状編地をプレーティング編成する場合、常に主糸を添糸に先行して給糸する必要がある。ここで、特許文献１，２にも記載されるように、横編機による筒状編地の編成では、筒状編地の編幅方向のいずれか一方の端部で主糸と添糸が交差し、その交差位置で添糸が筒状編地の表側に露出するという問題がある。このような問題を解決する技術として、上記特許文献１では、一側編地部の編成と他側編地部の編成とが切り替わるときに主糸と添糸が交差する箇所で、編成が切り替わる直前の最後の編目を捻り目とする技術が開示されている。例えば、一側編地部（他側編地部）を１段分編成した後、他側編地部（一側編地部）を一段分編成するときに主糸と添糸が交差する場合、一側編地部（他側編地部）の終端編目を捻り目とする。当該終端編目を捻り目とすることで、添糸が筒状編地の表側に露出することを抑制でき、筒状編地の見栄えを向上させることができる。
【先行技術文献】
【特許文献】
【０００５】
【特許文献１】国際公開第２００８／１３９７１０号
【特許文献２】特許第３８９９２６９号公報
【発明の概要】
【発明が解決しようとする課題】
【０００６】
しかし、特許文献１の技術では、主糸と添糸とが交差する側で捻り目を形成し、主糸と添糸とが交差しない側では捻り目を形成しないため、筒状編地における一側編地部と他側編地部の左右の境界の見た目が若干ではあるが異なる。
【０００７】
本発明は、上記事情に鑑みてなされたものであり、その目的の一つは、プレーティング編成を用いて編成される筒状編地における一側編地部と他側編地部の左右の境界の見栄えを同じにすることができる筒状編地の編成方法を提供することにある。
【課題を解決するための手段】
【０００８】
本発明の筒状編地の編成方法は、一方の針床で編成される一側編地部と他方の針床で編成される他側編地部とが筒状に繋がる筒状編地をプレーティング編成によって編成し、前記一側編地部の編成と前記他側編地部の編成とが切り替わるときにプレーティング編成の主糸と添糸が交差する交差側の端部編目を捻り目とする筒状編地の編成方法に係る。この筒状編地の編成方法では、次のことを行なう。
・編幅方向の一端側を第一方向側、他端側を第二方向側としたとき、前記一側編地部の前記第一方向側の端部にある第一編目を前記他側編地部の前記第一方向側の端部にある第三編目よりも前記第一方向側に配置すると共に、前記他側編地部の前記第二方向側の端部にある第二編目を前記一側編地部の前記第二方向側の端部にある第四編目よりも前記第二方向側に配置する。
・上記各編目の配置後、前記筒状編地のウエール方向のコース数を増す際に、ウエール方向に並ぶ前記第三編目からなる一端側ウエール列を表目と裏目とが交互に並ぶウエール列とし、ウエール方向に並ぶ前記第四編目からなる他端側ウエール列を表目と裏目とが交互に並ぶウエール列とすると共に、前記第一編目と前記第二編目のうち、前記交差側にある編目を捻り目とする。
【０００９】
本発明の筒状編地の編成方法の一形態として、ｎを２以上の自然数としたとき、前記一端側ウエール列のウエール方向のｎ＋１番目の前記第三編目を編成する前に、ｎ番目の前記第三編目を編成した針床に対向する針床の空針にｎ番目の前記第三編目を移動させ、前記他端側ウエール列のウエール方向のｎ＋１番目の前記第四編目を編成する前に、ｎ番目の前記第四編目を編成した針床に対向する針床の空針にｎ番目の前記第四編目を移動させる形態を挙げることができる。ここで、ｎ番目の前記第三編目の移動は、前記主糸と前記添糸を給糸するキャリアが前記第二方向側に移動する編成の後に行い、ｎ番目の前記第四編目の移動は、前記キャリアが前記第一方向側に移動する編成の後に行なう。
【発明の効果】
【００１０】
本発明の筒状編地の編成方法によれば、特許文献１の構成と同様に一側編地部と他側編地部の左右の境界のうち、主糸と添糸が交差する側で添糸が筒状編地の外側に露出することを抑制できるだけでなく、一側編地部と他側編地部の左右の境界の見た目を揃えることができる。上記左右の境界の見た目を揃えることができるのは、実施形態に示すように、両境界にジグザグ状の編組織が形成されるからである。
【００１１】
ｎ番目の第三編目と第四編目の移動のタイミングを限定する本発明の筒状編地の編成方法によれば、表目と裏目とがウエール方向に交互に並ぶ一端側ウエール列と他端側ウエール列を見栄え良く編成することができる。
【図面の簡単な説明】
【００１２】
【図１】実施形態１のセーターの概略構成図である。
【図２】セーターの身頃の編成工程図である。
【図３】（Ａ）は、身頃の右側（図１の紙面上は左側）の境界の拡大写真を、（Ｂ）は、身頃の左側の境界の拡大写真を示す図である。
【図４】実施形態２のセーターの身頃における衿ぐりよりも上の部分の編成工程図である。
【発明を実施するための形態】
【００１３】
＜実施形態１＞
本実施形態１では、２枚ベッド横編機を用いてプレーティング編成によってセーターを編成する例を図１〜３に基づいて説明する。なお、使用する横編機は、４枚ベッド横編機であっても構わない。
【００１４】
図１に示すセーター１００は、身頃５０と左右の袖６０を有する。身頃５０は、前身頃５１と後身頃５２とが筒状に繋がることで形成される筒状編地であり、袖６０は、前袖部６１と後袖部６２とが筒状に繋がることで形成される筒状編地である。本例では、プレーティング編成でセーター１００を編成するに当たり、太線矢印で示す前身頃５１（前袖部６１）と後身頃５２（後袖部６２）との左右の境界の見た目を同じにする。本例では、代表して身頃５０の編成を図２の編成工程図に基づいて説明する。袖６０の編成は、身頃５０の編成と同様に行なえば良く、その詳しい説明は省略する。
【００１５】
図２の「Ｓ＋数字」は編成工程の番号を、ＦＢは前針床、ＢＢは後針床を示す。ＢＢはＦＢに対して左右にラッキング可能で、前後の針床間で編目の目移しが可能である。ハッチングされた逆三角印、および白抜きの逆三角印はそれぞれ、横編機の正面から見て奥側（ＢＢ側）に配置される後側キャリア８、および手前側（ＦＢ側）に配置される前側キャリア９である。各編成工程で編成動作に関わる部分は太線で示すと共に、当該工程で新たに編成された編目は塗り潰して示す。図中に示す矢印は、編目の移動方向を示す。
【００１６】
Ｓ０には、ＦＢの編針Ｂ〜Ｉに前身頃５１の編目が係止され、ＢＢの編針ｂ〜ｉに後身頃５２の編目が係止された状態が示されている。このＳ０の状態から本発明の筒状編地の編成方法を用いてプレーティング編成を行う。本例では、ＦＢを一方の針床、ＢＢを他方の針床、前身頃５１を一側編地部、後身頃５２を他側編地部、編幅方向の紙面左側を第一方向側ＬＳ、編幅方向の紙面右側を第二方向側ＲＳとし、後側キャリア８から主糸１１Ａを給糸し、前側キャリア９から添糸１２Ａを給糸しながら時計回りに周回編成を行なう。この場合、後側キャリア８と前側キャリア９の前後関係によって、第二方向側ＲＳの端部で主糸１１Ａと添糸１２Ａとが交差する。
【００１７】
ここで、反時計回りに周回編成を行なう場合、紙面左側端部で主糸１１Ａと添糸１２Ａとが交差する。その場合、ＢＢを一方の針床、ＦＢを他方の針床、後身頃５２を一側編地部、前身頃５１と他側編地部、編幅方向の紙面右側ＲＳを第一方向側、編幅方向の紙面左側ＬＳを第二方向側とし、図２と同様の編成を行なえば良い。また、図２の例示と異なり、前側キャリア９で主糸１１Ａを給糸し、後側キャリア８で添糸１２Ａを給糸する場合、時計回りに周回編成すると紙面左側端部で交差が生じ、反時計回りに周回編成すると紙面右側端部で交差が生じる。
【００１８】
Ｓ１では、ＦＢに係止される一側編地部５１の編目のうち、編針Ｂに係止される第一方向側ＬＳの端部の編目（第一編目１）をＦＢの編針Ａに移動させると共に、ＢＢに係止される他側編地部５２の編目のうち、編針ｉに係止される第二方向側ＲＳの端部の編目（第二編目２）を編針ｊに移動させる。この編目の移動により、第一編目１は、ＢＢに係止される他側編地部５２の編目のうち、第一方向側ＬＳの端部にある第三編目３（編針ｂに係止される編目）よりも第一方向側ＬＳに配置される。また、第二編目２は、ＦＢに係止される一側編地部５１の編目のうち、第二方向側ＲＳの端部にある第四編目４（編針Ｉに係止される）よりも第二方向側ＲＳに配置される。このＳ１の状態から、以下に示すように、筒状編地５０のウエール方向のコース数を増す際に、ウエール方向に並ぶ第三編目３からなる一端側ウエール列を表目と裏目とが交互に並ぶウエール列とし、ウエール方向に並ぶ第四編目４からなる他端側ウエール列を表目と裏目とが交互に並ぶウエール列とする編成を行なう。
【００１９】
Ｓ２では、両キャリア９，８を第二方向側ＲＳに移動させ、ＢＢの編針ｂ〜ｈに編目を編成し、第二編目２が係止される編針ｊよりも第二方向側ＲＳに両キャリア９，８を停止させる。ＢＢの編針ｂの編目は、Ｓ１の第三編目３のウエール方向に続く２番目の第三編目３であって、ＢＢ側から見たときに表目である。
【００２０】
Ｓ２ではさらに、ＢＢの編針ｂに編成した第三編目３をＦＢの編針（空針）Ｂに移動させる。この第三編目３の移動は、Ｓ２の第三編目３のウエール方向に新たな第三編目３（３番目の第三編目３）を編成する際、その新たな第三編目３をＢＢ側から見て裏目とするためのものである。
【００２１】
Ｓ３では、両キャリア９，８を第一方向側ＬＳに移動させ、ＢＢの編針ｊに編目（第二編目２）を編成すると共に、ＦＢの編針Ｉ〜Ａに編目を編成する。ＢＢの編針ｊの編目は、Ｓ２の第二編目２のウエール方向に続く２番目の第二編目２である。この第二編目２は、Ｓ２で両キャリア９，８を第二方向側ＲＳに移動させて編針ｊを通過する位置まで移動させた後、Ｓ３で両キャリア９，８を第一方向側ＬＳに移動させたときにＢＢの編針ｊで編成を行うため、捻り目となる。また、Ｓ３でＦＢの編針Ｉに編成した編目は、Ｓ２の第四編目４のウエール方向に続く２番目の第四編目４であり、ＦＢの編針Ｂに編成した編目は、Ｓ２の第三編目３のウエール方向に続く３番目の第三編目３である。第三編目３はＢＢ側から見て裏目、第四編目４はＦＢ側から見て表目である。
【００２２】
Ｓ３ではさらに、ＦＢの編針Ｉに編成した第四編目４をＢＢの編針（空針）ｉに移動させる。この第四編目４の移動は、Ｓ３の第四編目４のウエール方向に新たな第四編目４（３番目の第四編目４）を編成する際、その新たな第四編目４をＦＢ側から見て裏目とするためのものである。
【００２３】
Ｓ４では、両キャリア９，８を第二方向側ＲＳに移動させ、ＢＢの編針ｃ〜ｉに編目を編成し、第二編目２が係止される編針ｊよりも第二方向側ＲＳに両キャリア９，８を停止させる。ＢＢの編針ｉに編成した編目は、Ｓ３の第四編目４のウエール方向に続く３番目の第四編目４であり、ＦＢ側から見て裏目となる。このＳ４ではさらに、ＦＢの編針Ｂに編成した第三編目３をＢＢの編針（空針）ｂに移動させる。この第三編目３の移動は、この第三編目３のウエール方向に続く４番目の第三編目３をＢＢ側から見て表目とするためのものである。
【００２４】
Ｓ５では、両キャリア９，８を第一方向側ＬＳに移動させ、ＢＢの編針ｊに編目（第二編目２）を編成すると共に、ＦＢの編針Ｈ〜Ｃ，Ａに編目を編成する。第二編目２は捻り目となる。このＳ５ではさらに、ＢＢの編針ｉに編成した第四編目４をＦＢの編針（空針）Ｉに移動させる。この第四編目４の移動は、この第四編目４のウエール方向に続く４番目の第四編目４をＦＢ側から見て表目とするためのものである。
【００２５】
Ｓ５が終了したときの編目の配置状態はＳ１と同じになっている。以降は、Ｓ２〜Ｓ５を繰り返す。Ｓ３の第一編目１は捻られていない編目であり、そのウエール方向に続くＳ５の第一編目１は、編成時には捻じられていないが、二回目のＳ２で第三編目３を移動させる際に、目移しした編目に繋がるシンカーループの移動によって捻じられる。一方、Ｓ３の第二編目２は捻り目であり、そのウエール方向に続くＳ５の第二編目２は、編成時は捻り目であるが、二回目のＳ３で第四編目４を移動させる際に捻じられていない状態になる。つまり、本実施形態のようなキャリア８，９の前後関係と周回方向のプレーティング編成では、第一編目１は非捻り目のみからなり、第二編目２は捻り目のみからなるところ、第三編目３と第四編目４をＦＢ−ＢＢ間で移動させることで、ウエール方向に並ぶ第一編目１（第二編目２）が、交互に捻り目と非捻り目となるようにしている。
【００２６】
また、Ｓ２の第三編目３はＢＢ側から見て表目、そのウエール方向に続くＳ３の第三編目３はＢＢ側から見て裏目であり、ウエール方向に並ぶ第三編目３からなる一端側ウエール列は、表目と裏目が交互に並ぶウエール列となる。一方、Ｓ３の第四編目４はＦＢ側から見て表目、そのウエール方向に続くＳ４の第四編目４はＦＢ側から見て裏目となり、ウエール方向に並ぶ第四編目４からなる他端側ウエール列は、表目と裏目が交互に並ぶウエール列となる。
【００２７】
上述したようにＳ２〜Ｓ５を繰り返すことで、一側編地部５１と他側編地部５２の左右の境界は、図３（Ａ），（Ｂ）の写真に示す状態となる。図３（Ａ）の紙面上方に向ってジグザグ状に連なる編目は第一編目１、図３（Ｂ）の紙面上方に向ってジグザグ状に連なる編目は第二編目２である。また、第一編目１（第二編目２）の裏側で紙面左右方向に渡っているように見える編糸は、第一編目１（第二編目２）の近傍にある第三編目３（第四編目４）からなる一端側ウエール列（他端側ウエール列）の編糸である。これらの写真に示すように、両編地部５１，５２の左右の境界に同じ見た目のジグザグ状の編組織が形成されるので、両境界の見栄えが良い。
【００２８】
ここで、ウエール方向に並ぶ第一編目１（第二編目２）がジグザグ状になるのは、一端側ウエール列（他端側ウエール列）を表目と裏目とが交互に並ぶウエール列としているからである。図２の編成工程図に示すように、裏目と表目を交互に編成するに当たり、ＦＢとＢＢ間で第三編目３（第四編目４）の移動を行っており、その移動に伴ってウエール方向の段が変わるごとに第一編目１（第二編目２）が一側編地部５１側と他側編地部５２側に交互に引っ張られる。そのため、ウエール方向に並ぶ第一編目１（第二編目２）がジグザグ状になる。
【００２９】
なお、第三編目３と第四編目４の目移しのタイミングは、実施形態のタイミングに限定されない。上記目移しのタイミングを限定せずとも、第三編目３（第四編目４）を目移しすることで、ウエール方向に並ぶ第一編目１（第二編目２）はジグザグ状になり、一側編地部と他側編地部の左右の境界に同じようなデザインの編組織が形成される。その他、図２の編成工程図において、ＢＢに係止される編地部を一側編地部、ＦＢに係止される編地部を他側編地部として編成を行っても構わない。
【００３０】
＜実施形態２＞
実施形態２では、一側編地部に開き部を備える筒状編地の編成手順を図４に基づいて説明する。開き部を備える筒状編地としては、図１のセーター１００の身頃５０のうち、衿ぐり７０よりも上の部分や、カーディガンなどを挙げることができる。本例では、図１の身頃５０の衿ぐり７０よりも上の部分の編成を説明する。
【００３１】
Ｔ０には、ＦＢの編針Ｂ，Ｃ，Ｈ，Ｉに一側編地部５１が、ＢＢの編針ｂ〜ｉに他側編地部５２が係止された状態が示されている。一側編地部５１には、編地が繋がっていない開き部５３が形成されている。このＴ０の状態から、後側キャリア８から主糸１１Ａを、前側キャリア９から添糸１２Ａを給糸しながらＣ字状編成を行う。Ｃ字状編成で両キャリア９，８が時計回り（反時計回り）する場合、第二方向側ＲＳ（第一方向側ＬＳ）で主糸１１Ａと添糸１２Ａとが交差する。
【００３２】
Ｔ１では、ＦＢに係止される一側編地部５１の編目のうち、編針Ｂに係止される第一方向側ＬＳの端部の編目（第一編目１）をＦＢの編針Ａに移動させると共に、ＢＢに係止される他側編地部５２の編目のうち、編針ｉに係止される第二方向側ＲＳの端部の編目（第二編目２）を編針ｊに移動させる。本例では、ＢＢの編針ｂに係止される他側編地部５２の第一方向側ＬＳの端部編目を第三編目３、ＦＢの編針Ｉに係止される一側編地部５１の第二方向側ＲＳの端部編目を第四編目４である。
【００３３】
Ｔ２では、両キャリア９，８を第一方向側ＬＳに移動させ、ＦＢの編針Ｃ，Ａに編目を編成した後、両キャリア９，８を第二方向側ＲＳに移動させ、ＢＢの編針ｂ〜ｈに編目を編成する。両キャリア９，８は、第二編目２が係止される編針ｊよりも第二方向側ＲＳに停止させる。ＢＢの編針ｂの編目は、Ｓ１の第三編目３のウエール方向に続く２番目の第三編目３である。第三編目３は、ＢＢ側から見たときに表目となる。Ｔ２ではさらに、ＢＢの編針ｂに編成された第三編目３をＦＢの編針（空針）Ｂに移動させる。
【００３４】
Ｔ３では、両キャリア９，８を第一方向側ＬＳに移動させ、ＢＢの編針ｊに編目（第二編目２）を編成した後、ＦＢの編針Ｉ，Ｈに編目を編成する。ＢＢの編針ｊの編目は、Ｔ２の第二編目２のウエール方向に続く２番目の第二編目２であり、編成時は捻り目となる。また、ＦＢの編針Ｉの編目は、Ｔ２の第四編目４のウエール方向に続く２番目の第四編目４であって、ＦＢ側から見て表目である。Ｔ３ではさらに、ＦＢの編針Ｉに編成した第四編目４をＢＢの編針（空針）ｉに移動させ、ＢＢの編針ｊに編成した第二編目２をＦＢの編針（空針）Ｊに移動させる。第二編目２の移動は行わなくても構わない。但し、Ｔ３で第二編目２をＦＢに移動させておくことで、次のＴ４でＦＢの編針Ｈの編目と編針Ｊの編目（第二編目２）とを繋ぐ渡り糸を短くできる。
【００３５】
Ｔ４では、両キャリア９，８を第二方向側ＲＳに移動させ、ＦＢの編針Ｈ，Ｊに編目を編成した後、両キャリア９，８を第一方向側ＬＳに移動させ、ＢＢの編針ｉ〜ｃに編目を編成する。ＢＢの編針ｉに編成した編目は、Ｔ３の第四編目４のウエール方向に続く３番目の第四編目４であり、ＦＢ側から見て裏目となる。このＴ４ではさらに、ＢＢの編針ｉに編成した第四編目４をＦＢの編針（空針）Ｉに移動させ、ＦＢの編針Ｊに編成した第二編目２をＢＢの編針ｊに移動させる。ここで、Ｔ３で第二編目２の移動を行っていなければ、Ｔ４で第二編目２を移動させることはない。
【００３６】
Ｔ５では、第一編目１よりも第二方向側ＲＳの両キャリア９，８を第一方向側ＬＳに移動させ、ＦＢの編針Ａに編目（第一編目１）を編成した後、両キャリア９，８を第二方向側ＲＳに移動させ、ＦＢの編針Ｂ，Ｃに編目を編成する。編針Ａの第一編目１は捻り目であり、編成時は編針Ｂの第三編目３は、ウエール方向の３番目の第三編目３であって、ＢＢ側から見て裏目である。このＴ５ではさらに、ＦＢの編針Ｂの第三編目３をＢＢの編針（空針）ｂに移動させる。
【００３７】
以降は、Ｔ２〜Ｔ５の編成を繰り返すと良い。編成時はＴ２の第一編目１は捻られていない編目、そのウエール方向に続くＴ５の第一編目１は捻り目となる。Ｔ３の第二編目２は編成時は捻り目、そのウエール方向に続くＴ４の第二編目は捻られていない編目となる。もともとＣ字状にプレーティング編成を行う場合、一側編地部５１と他側編地部５２の左右の境界の両方において、一段置きに主糸１１Ａと添糸１２Ａの交差が生じるので、本例の編成工程ではその交差を抑制するために上記左右の境界の両方で一段置きに捻り目を形成している。つまり、ウエール方向に並ぶ第一編目１（第二編目２）は、新たな編目を形成して目移しを行うことで、交互に捻り目と非捻り目となっている。
【００３８】
また、Ｔ２の第三編目３はＢＢ側から見て表目、Ｔ５の第三編目３はＢＢ側から見て裏目となり、ウエール方向に並ぶ第三編目３からなる一端側ウエール列は、表目と裏目が交互に並ぶウエール列となる。Ｔ３の第四編目４はＦＢ側から見て表目、Ｔ４の第四編目４はＦＢ側から見て裏目となり、ウエール方向に並ぶ第四編目４からなる他端側ウエール列は、表目と裏目が交互に並ぶウエール列となる。これら一端側ウエール列と他端側ウエール列を形成するために第三編目３と第四編目４をＦＢ−ＢＢ間で移動させることで、第一編目１（第二編目２）はウエール方向の段が変わるごとに一側編地部５１側と他側編地部５２側に引っ張られ、ウエール方向に並ぶ第一編目１（第二編目２）はウエール方向に向かってジグザグ状に連なる。そのため、実施形態２の一側編地部５１と他側編地部５２の左右の境界に実施形態１と同様のジグザグ状の編組織が形成され、上記左右の境界の見た目を揃えることができる。
【符号の説明】
【００３９】
ＦＢ  前針床（一方の針床）  ＢＢ  後針床（他方の針床）
ＬＳ  編幅方向の紙面左側（第一方向側）
ＲＳ  編幅方向の紙面右側（第二方向側）
１  第一編目  ２  第二編目  ３  第三編目  ４  第四編目
８  後側キャリア  ９  前側キャリア
１００  セーター
５０  身頃（筒状編地）
５１  前身頃（一側編地部）  ５２  後身頃（他側編地部）  ５３  開き部
６０  袖（筒状編地）  ６１  前袖部  ６２  後袖部
７０  衿ぐり
１１Ａ  主糸  １２Ａ  添糸
【図１】
0006518608.tif 000002
【図２】
0006518608.tif 000003
【図３】
0006518608.tif 000004
【図４】
0006518608.tif 000005